(57)【要約】    【課題】画素のバラツキによるムラが目立たない高画質な画像を形成できる画像形成方法を提供する。    【解決手段】プリントヘッド制御部４０がラッチ回路３２に画像データがラッチされる毎に、画像データの階調の大小に対応するように時間幅を可変させてイネーブル信号を段階的に発生すると、ドライバ回路３３により、各記録素子が印画紙２に対して該イネーブル信号の時間幅に応じた複数回のオン・オフ記録駆動を行う。また、前記記録素子の複数個を駆動した状態で複数回露光された前記ハロゲン化銀感光材料の濃度を測定し、該濃度と前記複数回露光の合計の発光時間としての光量との関係を求め、該関係に基づいて前記濃度を光量データに変換し、該光量データに基づいて前記各記録素子の露光量の補正量を求める。【選択図】  図１
2004161007.tif 000002
【特許請求の範囲】
【請求項１】
一列又は複数列のアレイ状に配列され独立してオン・オフ可能な複数の記録素子が、画像データに応じて同一又は異なる時間幅の組み合わせにより複数回のオン・オフ駆動を行うことにより、ハロゲン化銀感光材料に露光を行う画像形成方法において、
前記記録素子の複数個を駆動した状態で、前記ハロゲン化銀感光材料に複数回露光を行い、この複数回露光された前記ハロゲン化銀感光材料の濃度を測定し、該濃度と前記複数回露光の合計の発光時間としての光量との関係を求め、該関係に基づいて前記濃度を光量データに変換し、該光量データに基づいて前記各記録素子の露光量の補正量を求めることを特徴とする画像形成方法。
【請求項２】
一列又は複数列のアレイ状に配列され独立してオン・オフ可能な複数の記録素子が、画像データに応じて同一又は異なる時間幅の組み合わせにより複数回のオン・オフ駆動を行うことにより、ハロゲン化銀感光材料に露光を行う画像形成方法において、
前記記録素子と同じ種類の記録素子の複数個を駆動した状態で、前記ハロゲン化銀感光材料に複数回露光を行い、この複数回露光されたハロゲン化銀感光材料の濃度を測定し、該濃度と前記複数回露光の合計の発光時間としての光量との関係を求め、該関係に基づいて前記濃度を光量データに変換し、該光量データに基づいて前記各記録素子の露光量の補正量を求めることを特徴とする画像形成方法。
【請求項３】
画素列毎に画像データをラッチ手段に格納し、
該ラッチ手段に画像データがラッチされる毎に、イネーブル信号発生手段により、データ値に応じて同一または異なる時間幅の組み合わせに変換したイネーブル信号を段階的に発生し、
段階的に発生する前記イネーブル信号に基づいて、ドライバ手段により、前記イネーブル信号の時間幅に応じて前記各記録素子を個別に複数回のオン・オフ記録駆動を行うことによりハロゲン化銀感光材料に画像を形成することを特徴とする請求項１又は請求項２記載の画像形成方法。
【請求項４】
前記イネーブル信号発生手段が段階的に発生するイネーブル信号により設定される前記各記録素子の全記録時間の長短が画像データの階調の大小に対応するように、前記ドライバ手段が前記イネーブル信号の時間幅に応じた複数回のオン・オフ記録駆動を行い、
前記ハロゲン化銀感光材料がハロゲン化銀カラー感光材料であり、前記記録素子からなる、前記ハロゲン化銀カラー感光材料の感色性の異なる複数の感光層に対応する複数の色光を制御するための記録ヘッドにより画像を形成する請求項３記載の画像形成方法。
【請求項５】
前記記録素子が塩化銀感光材料であるカラー写真用印画紙を露光することにより画像を形成することを特徴とする請求項３〜５のいずれか１つに記載の画像形成方法。
【請求項６】
前記段階的に発生するイネーブル信号の各時間幅を画像データの階調に応じた多値のデジタル値とした際に、前記ドライバ手段は前記デジタル値を２進数で表したときの各桁の重みに応じて前記各時間幅を順次変えて前記各記録素子を個別にオン・オフ記録駆動することを特徴とする請求項３〜６記載の画像形成方法。
【請求項７】
前記ドライバ手段が前記イネーブル信号を２n  Ｔ＋ｔ（ｎは０，１，２，・・・でイネールブル信号の各時間幅を画像データの階調に応じたデジタル値とした際のデジタル値の桁、Ｔは単位時間、ｔは正または負の一定時間）となる各時間幅で前記各記録素子を個別にオン・オフ記録駆動することを特徴とする請求項９記載の画像形成方法。
【請求項８】
一列又は複数列のアレイ状に配列され独立してオン・オフ可能な複数の記録素子が、画像データに応じて同一又は異なる時間幅の組み合わせにより複数回のオン・オフ駆動を行い、ハロゲン化銀感光材料に露光を行うことにより画像を形成する画像形成装置において、
前記記録素子の複数個を駆動した状態で、前記ハロゲン化銀感光材料の複数回露光を行い、この複数回露光されたハロゲン化銀感光材料の濃度を測定し、該濃度と前記複数回露光の合計の発光時間としての光量との関係を求め、該関係に基づいて前記濃度を光量データに変換し、該光量データに基づき求めた補正量により前記各記録素子を補正する制御手段を有することを特徴とする画像形成装置。
【請求項９】
一列又は複数列のアレイ状に配列され独立してオン・オフ可能な複数の記録素子が、画像データに応じて同一又は異なる時間幅の組み合わせにより複数回のオン・オフ駆動を行い、ハロゲン化銀感光材料に露光を行うことにより画像を形成する画像形成装置において、
前記記録素子と同じ種類の記録素子の複数個を駆動した状態で、前記ハロゲン化銀感光材料の複数回露光を行い、この複数回露光されたハロゲン化銀感光材料の濃度を測定し、該濃度と前記複数回露光の合計の発光時間としての光量との関係を求め、該関係に基づいて前記濃度を光量データに変換し、該光量データに基づき求めた補正量により前記各記録素子を補正する制御手段を有することを特徴とする画像形成装置。
【発明の詳細な説明】
【技術分野】
【０００１】
本発明は銀塩写真等のハロゲン化銀感材へ連続階調記録を行う画像形成方法に関するものである。
【背景技術】
【０００２】
従来から、従来から、高画質の画像を再現する上で階調性が重要とされ、具体的には人物のアップの肌の陰影や空などの緩やかなグラデーションといった均一濃度に近い部分の連続した階調のつながり（特に、低濃度の階調再現）が重要である。デジタル画像で、良好な階調性を実現するには、最低でも２００レベル以上の階調制御要求されている。一方、小型な装置で低コストで高速な画像形成を可能とするアレイ光源を用いて連続階調画像を記録する技術が知られている。例えば、
（１）ディザ法のように複数の二値画素を組み合わせて多階調画像を擬似的に表現する方法。
【０００３】
（２）アレイ光源の各素子の光強度自体や１回の発光時間幅を階調レベル数分独立に変化させる方法，のような手法が知られている。
ところが、（１）のような方法によれば解像度を犠牲にした疑似的な表現方法ゆえ高解像度記録は期待できず、（２）の方法では各記録素子に対応してＤ／Ａコンバータ、比較器等が必要で、記録素子のドライバ回路の複雑化、高コスト化を招く。
【発明の開示】
【発明が解決しようとする課題】
【０００４】
そこで、２値或いは複数レベルのアレイ光源を用いて複数回露光を行い多階調記録を行う方法が考えられる。この方法は解像度を損なうことなく、装置の複雑化、高コスト化を招くことのない階調性の良い方法であるが、その一方で階調性が良くなると、各記録素子の発光特性のバラツキに起因する濃度ムラが目立つようになるという問題がある。
【０００５】
これに対して、１記録素子づつ順次発光させて各素子の発光輝度を測光して上記記録素子の発光特性のバラツキの補正量を求め補正することが考えられる。例えば、ＷＯ９０／０９８９０に開示されている方法では硬調な階調特性の記録媒体に対して記録を行うため、基本的に面積変調による階調表現しかできないので十分な連続階調画像を得にくい。これに対し、１ライン当たりの記録幅を小さくするような線状光源を用いて階調の連続性を向上させることが考えられるが、その反面、露光量の不足から最高濃度を得ることが困難となる新たな問題が発生してしまう。また、軟調な記録媒体であるハロゲン化銀感光材料へ適用した場合は、濃度変調的になり連続階調性は良いが、濃度ムラを取りきれず複雑なシーンの部分に比べて、特に階調性の再現に重要な均一濃度に近い部分のムラが目立つようになるという問題が生じてしまう。
【０００６】
本発明は上記問題点に鑑みなされたものであり、装置の複雑化・高コスト化を招くことなく高解像度の連続階調画像を記録でき、且つ濃度ムラが目立たない高画質な画像をハロゲン化銀感光材料上に形成できる画像形成方法及び装置を提供することを目的とする。
【課題を解決するための手段】
【０００７】
このため、上記従来の問題点を解決するものであって、請求項１記載の発明は、一列又は複数列のアレイ状に配列され独立してオン・オフ可能な複数の記録素子が、画像データに応じて同一又は異なる時間幅の組み合わせにより複数回のオン・オフ駆動を行うことにより、ハロゲン化銀感光材料に露光を行う画像形成方法において、前記記録素子の複数個を駆動した状態で、前記ハロゲン化銀感光材料に複数回露光を行い、この複数回露光されたハロゲン化銀感光材料の濃度を測定し、該濃度と前記複数回露光の合計の発光時間としての光量との関係を求め、該関係に基づいて前記濃度を光量データに変換し、該光量データに基づいて前記各記録素子の露光量の補正量を求める構成としたものである。
【０００８】
また、請求項８記載の発明は一列又は複数列のアレイ状に配列され独立してオン・オフ可能な複数の記録素子が、画像データに応じて同一又は異なる時間幅の組み合わせにより複数回のオン・オフ駆動を行い、ハロゲン化銀感光材料に露光を行うことにより画像を形成する画像形成装置において、前記記録素子の複数個を駆動した状態で、前記ハロゲン化銀感光材料の複数回露光を行い、この複数回露光された前記ハロゲン化銀感光材料の濃度を測定し、該濃度と前記複数回露光の合計の発光時間としての光量との関係を求め、該関係に基づいて前記濃度を光量データに変換し、該光量データに基づき求めた前記各記録素子の露光量の補正量により前記記録素子を補正する構成としたものである。
【０００９】
これら請求項１及び請求項８記載の発明によれば、より実際の画像記録の状態に近い複数の記録素子が駆動した状態で光量を求め補正を行うことにより、実際の画像記録の状態とかけ離れた各素子を一点づつ発光させた状態で光量を求め補正を行った場合に比して素子の発光特性のバラツキによる濃度ムラの少ない良好な画像とすることが可能となり、装置の複雑化・高コスト化を招くことなく高解像度連続階調画像が得られ高画質の画像を形成できる。ここで、アレイ状に配列された複数の記録素子には、千鳥状に配列されている場合も含む。
ここで、濃度測定値と、複数回露光の合計の発光時間としての光量との関係を求め、この関係に基づき、濃度測定値から光量に換算し補正量を求めることにより、複数回露光による多重露光効果や間欠露光効果の影響をも包含した濃度ムラという最終出力形態で補正量が求まるため、複数回露光の場合で発生する発光時間と濃度の関係の不連続性などをより正確に補正することができ、その影響で生じる濃度ムラ（特に、均一に近い濃度でのムラ）をより精度良く除去でき一層良質な画像を得ることが可能となる。なお、階調の不連続性とは、複数回露光による光源や感材の応答特性などにより階調にとびが生じる現像を言う。特に、補正量に基づいた露光を行い濃度測定し、再度補正量を求めるような制御を繰り返す場合には、光量と濃度の関係を考慮した方がその収束性が高まり、好ましい。
【００１０】
また、請求項２記載の発明は、一列又は複数列のアレイ状に配列され独立してオン・オフ可能な複数の記録素子が、画像データに応じて同一又は異なる時間幅の組み合わせにより複数回のオン・オフ駆動を行うことにより、ハロゲン化銀感光材料に露光を行う画像形成方法において、前記記録素子と同じ種類の記録素子の複数個を駆動した状態で、前記ハロゲン化銀感光材料に複数回露光を行い、この複数回露光されたハロゲン化銀感光材料の濃度を測定し、該濃度と前記複数回露光の合計の発光時間としての光量との関係を求め、該関係に基づいて前記濃度を光量データに変換し、該光量データに基づいて前記各記録素子の露光量の補正量を求める構成とした。
また、請求項９に記載の発明は、一列又は複数列のアレイ状に配列され独立してオン・オフ可能な複数の記録素子が、画像データに応じて同一又は異なる時間幅の組み合わせにより複数回のオン・オフ駆動を行い、ハロゲン化銀感光材料に露光を行うことにより画像を形成する画像形成装置において、前記記録素子と同じ種類の記録素子の複数個を駆動した状態で、前記ハロゲン化銀感光材料の複数回露光を行い、この露光されたハロゲン化銀感光材料の濃度を測定し、該濃度と前記複数回露光の合計の発光時間としての光量との関係を求め、該関係に基づいて前記濃度を光量データに変換し、該光量データに基づき求めた前記各記録素子の露光量の補正量により前記記録素子を補正する構成とした。
【００１１】
これによれば、画像形成に用いる記録素子と同じ種類の記録素子、すなわち、図１３の（ａ）と（ｂ）に示すように、各記録素子の発光特性パターンが類似している場合は、画像形成に用いる記録素子と同じ種類の記録素子を用いて補正量を求めることができる。
【００１２】
また、請求項３記載の発明は、記録素子列毎に画像データをラッチ手段に格納し、該ラッチ手段に画像データがラッチされる毎に、イネーブル信号発生手段により、データ値に応じて同一または異なる時間幅の組み合わせに変換したイネーブル信号を段階的に発生し、段階的に発生する前記イネーブル信号に基づいて、ドライバ手段により、前記イネーブル信号の時間幅に応じて前記各記録素子を個別に複数回のオン・オフ記録駆動を行うことによりハロゲン化銀感光材料に画像を形成することを構成としたものである。
【００１３】
これによれば、ドライバ手段がハロゲン化銀感光材料に対して該イネーブル信号の時間幅に応じた複数回のオン・オフ記録駆動を行うことで、装置の複雑化・高コスト化を招くことなく高画質の連続階調記録を行うことができる。
また、請求項４記載の発明は、前記イネーブル信号発生手段が段階的に発生するイネーブル信号により設定される前記各記録素子の全記録時間の長短が画像データの階調の大小に対応するように、前記ドライバ手段が前記イネーブル信号の時間幅に応じた複数回のオン・オフ記録駆動を行い、前記記録素子からなる、前記ハロゲン化銀カラー感光材料の感色性の異なる複数の感光層に対応する複数の色光を制御するための記録ヘッドにより画像を形成する構成としたものである。
【００１４】
これによれば、前記各記録素子のイネーブル信号をハロゲン化銀カラー感光材料の各感光層の感度、階調特性に合わせて設定できるので、より装置の複雑化・高コスト化を招くことなくハロゲン化銀カラー感光材料の特性を生かした高解像度の連続階調画像を該ハロゲン化銀カラー感光材料上に記録することができる。また、ハロゲン化銀カラー感光材料の特性である間欠露光効果により、感度の高低差が大きくなり、露光時の色にごりが小さくなって色分離が改善される。また、ハロゲン化銀カラー感光材料を用いることで、各画素の広がりがさらに広がって、各画素領域の濃度が均一化され高画質の連続階調記録を行うことができ、さらに、各色の位置ずれによるモアレなどの画質劣化がおこりにくく、各色の位置合わせの高精度化による装置の複雑化・高コスト化も招くことがない。
【００１５】
また、請求項５記載の発明は、前記記録素子が塩化銀感光材料であるカラー写真用印画紙を露光することにより画像を形成する構成としたものである。ここで、塩化銀感光材料とは塩化銀含有率９０モル％以上のハロゲン化銀乳剤層を有する感光材料のことである。
これによれば、塩化銀感光材料の場合は、特に複数回露光による多重露光効果や間欠露光効果の影響による濃度ムラが大きく、本発明による効果がより大きい。また、現像処理を高速に行うことができる。
【００１６】
また、請求項６記載の発明は、前記段階的に発生するイネーブル信号の各時間幅を画像データの階調に応じた多値のデジタル値とした際に、前記ドライバ手段は前記デジタル値を２進数で表したときの各桁の重みに応じて前記各時間幅を順次変えて前記各記録素子を個別にオン・オフ記録駆動する構成としたものである。
これによれば、画像データの濃度値に対応するイネーブル信号を装置の複雑化、高コスト化を招くことなく設定することができる。
【００１７】
また、請求項７記載の発明は、前記ドライバ手段が前記イネーブル信号を２n  Ｔ＋ｔ（ｎは０，１，２，・・・でイネールブル信号の各時間幅を画像データの階調に応じたデジタル値とした際のデジタル値の桁、Ｔは単位時間、ｔは正または負の一定時間）となる各時間幅で前記各記録素子を個別にオン・オフ記録駆動する構成としたものである。
これによれば、ｔを増減することでイネーブル信号の時間幅を個々に調整することができるためより滑らかな階調記録を行うことができる。
【００１８】
なお、前記段階的に発生するイネーブル信号の各時間幅を一定とし、前記ドライバ手段は画像データ値の回数分だけ前記各記録素子を個別にオン・オフ記録駆動する構成とすれば、装置をより簡単な構成にして同様な階調記録を実現できる。また、前記イネーブル信号発生手段は前記段階的に発生するイネーブル信号の一定時間幅を可変設定する構成とすれば、前記イネーブル信号の一定時間幅を微調整することができるので装置の出力特性に応じて階調特性を調整することが可能となる。
また、前記ハロゲン化銀感光材料を記録素子の配列方向とは垂直方向に移動と停止を繰り返す移動制御を行う移動制御手段を設け、該移動制御手段の移動制御に基づいて前記ハロゲン化銀感光材料が移動中に、前記記録素子の１ライン分の発光開始から発光終了までに要する時間の５０％以上を用いて記録を行う構成とすれば、移動しながら露光することによって、各画素領域の濃度が均一化されるとともに、階調制御の応答性を改善することができる。
【発明の効果】
【００１９】
請求項１，２，８，９記載の発明によれば、より実際の画像記録の状態に近い複数の記録素子が駆動した状態で光量を求め補正を行うことにより、装置の複雑化・高コスト化を招くことなく各記録素子の発光特性のバラツキによる濃度ムラを減少でき、高解像度連続階調画像が得られ高画質の画像を形成できる。
特に、複数回露光の場合で発生する発光時間と濃度の関係を求め、これに基づく補正を行うため、発光時間と濃度との関係の不連続性の影響で生じる濃度ムラをより精度良く除去できる。
【００２０】
また、請求項３記載の発明によれば、ドライバ手段がハロゲン化銀感光材料に対して該イネーブル信号の時間幅に応じた複数回のオン・オフ記録駆動を行うことで、より装置の複雑化・高コスト化を招くことなく高画質の連続階調記録を行うことができる。
【００２１】
また、請求項４記載の発明によれば、ハロゲン化銀カラー感光材料の各感光層の感度、階調特性に合わせて各色のイネーブル信号を設定できるので、より装置の複雑化・高コスト化を招くことなくハロゲン化銀カラー感光材料の特性を生かした高解像度の連続階調画像を該ハロゲン化銀カラー感光材料上に記録することができる。また、ハロゲン化銀カラー感光材料の特性である間欠露光効果により、感度の高低差が大きくなり、露光時の色にごりが小さくなって色分離が改善されるほか、各ドットの広がりがさらに広がって、各ドット領域の濃度が均一化され各色の位置合わせによる装置の複雑化・高コスト化を招くことなく高画質の連続階調記録を行うことができる。
【００２２】
また、請求項５記載の発明によれば、塩化銀感光材料の場合は、特に複数回露光による多重露光効果や間欠露光効果の影響による濃度ムラが大きく、本発明による効果がより大きい。また、現像処理を高速に行うことができる。
【００２３】
また、請求項６記載の発明によれば、画像データの濃度値に対応するイネーブル信号を装置の複雑化、高コスト化を招くことなく設定することができる。
また、請求項７に記載の発明によれば、ｔを増減することでイネーブル信号の時間幅を個々に調整することができるため、より滑らかな階調記録を行うことができる。
【発明を実施するための最良の形態】
【００２４】
本発明の実施形態について以下に図面を参照しながら説明するが、本発明はこの実施形態に限定されるものではない。
図１は、画像形成方法の概略構成図であり、図示しない搬送駆動源によって回転駆動する銀塩写真感光材料の移動制御手段である支持ドラム１によってロールから繰り出される銀塩写真感光材料であるカラー写真用印画紙２（以後、単に印画紙と称する。）が矢印方向へ搬送されると、一列又は複数列のアレイ状に配列された記録素子が設けられている赤色光源プリントヘッド３０ａ、緑色光源プリントヘッド３０ｂ及び青色光源プリントヘッド３０ｃがプリントヘッド制御部４０によって画像データに応じて露光制御されて、印画紙２の所定位置に色毎に順次露光し、カラー画像の潜像を形成している。こうした露光プロセスが終了すると、印画紙２は支持ドラム１によって次なる処理のために現像プロセスへ搬送される。
【００２５】
なお、各プリントヘッドには一列または複数列のアレイ状光源が使用されており、赤色光源プリントヘッド３０ａには従来から一般的に採用されているＬＥＤ光源が、また、緑色光源プリントヘッド３０ｂ及び青色光源プリントヘッド３０ｃには、比較的に高輝度、高速応答でカラーフィルタで容易に色分解できる真空蛍光プリントヘッド（ＶａｃｕｕｍＦｌｕｏｒｅｓｃｅｎｔ  Ｐｒｉｎｔ  Ｈｅａｄのことで、以後単にＶＦＰＨと称する。）が採用されている。また、印画紙２はロール状としたがカット紙であってもかまわない。また、印画紙の移動手段はベルトに乗せて搬送するなど、他の方法でも良い。
【００２６】
プリントヘッド下方には支持ドラム１を介して受光センサ５５が配されており、記録前に各プリントヘッド３０ａ，３０ｂ，３０ｃからの照射光を受光し、その強度を内部の光電変換素子によって電気信号に変換した後、補正処理部60に出力する。補正処理部60では該電気信号を入力すると各プリントヘッド３０ａ，３０ｂ，３０ｃの発光特性の補正を行うようにプリントヘッド制御部40に補正データを出力すると、プリントヘッド制御部40は該補正データに基づいて各プリントヘッド３０ａ，３０ｂ，３０ｃの発光特性を調整している。
【００２７】
図２は１色分のプリントヘッドへの画像データの書込み動作を説明する図である。
図においてプリントヘッド制御部４０は、各色毎に８ビットのデジタル値で階調を表した画像データが入力されると、前述した補正データに基づいて画像データに対して補正処理を行い、個々の記録素子に対する１ライン画素分のシリアルのデジタル画像データに変換するとともに、画像ビットデータをラッチ回路３２への転送のためのセットパルス信号と、発光時間を制御すためのイネーブル信号を生成して１色分のプリントヘッド30に出力する。ここで、画像ビットデータとは、画像データのうちの特定ビットのデータのことである。
【００２８】
まず、プリントヘッド３０においてプリントヘッド制御部４０から１ライン分の画像ビットデータとしてＭＳＢ（最上位ビット）のデータがシフトレジスタ３１に転送されると、セットパルス信号がラッチ回路３２に入力し、該セットパルス信号に同期してＭＳＢのデータがラッチ回路３２に１ライン分まとめてラッチされる。
そして、階調に応じたイネーブル信号がドライバ回路３３に入力することで、イネーブル信号の時間幅の区間に一列または複数列のアレイ状に配列された記録素子の各記録素子毎に駆動制御してラッチされた画像データに応じた発光を行なわせる。すなわち、ラッチされたデータが”１”である素子を、選択的にドライバ回路３３が記録素子アレイ３４に対して駆動信号を送出し、イネーブル信号の時間幅だけ発光させる。照射光はセルフォックレンズアレイ３５を介して印画紙２に結像し、潜像を形成する。このような処理をＭＳＢからＬＳＢ（最下位ビット）まで順次全８ビットに対して行うことで１ライン分の記録を終了する。なお、上記１色について説明したが、３色とも同様の制御が行なわれる。なお、ビットの順番はＬＳＢから処理するなど、他の順番でもよく、限定されない。
【００２９】
緑色、青色成分に発光特性を持つＶＦＰＨにはセルフォックレンズアレイ３５下部に図示していない各々緑色、青色の各色分解フィルタが配されており、プリントヘッド制御部４０は、各色毎に転送されてくる画像データを搬送されてくる印画紙２の所定位置に記録するように、３つのプリントヘッド３０が順次露光タイミングをずらしながら記録制御を行っているために、適性なカラー画像の記録を行うことができる。緑色光源用のフィルタとしては緑色フィルタのかわりに黄フィルタを用いても良い。また、プリントヘッド制御部４０は、支持ドラム１によって印画紙２が移動中に１ライン分の記録が５０％以上が行なわれるように、プリントヘッド３０に対して記録制御を行うことでライン間における記録画像が連続し、その結果ムラの発生を防止し、濃度変調による滑らかな連続階調を実現することができる。
【００３０】
なお、本実施形態には記録素子アレイ３４としてＬＥＤアレイとＶＦＰＨを採用しているが、発光体＋シャッターアレイ（液晶シャッターアレイ、ＰＬＺＴシャッターアレイ等）、レーザーを並べたレーザーアレイ（ＬＤレーザーアレイ等）を適宜組み合わせても良い。また、露光用感材として塩化銀を含むカラー写真用印画紙２としたが、画像濃度を面積変調で制御できる所謂軟調なハロゲン化銀カラー感光材料であれば適用できるものである。さらに、アレイは感光材料の感色性に合うものならよく、カラーの場合は、１本に３色分の光源を配した３色制御でも良い。
【００３１】
ＬＥＤアレイの中ではＧａＡｌＡｓやＧａＡｓＰを材料としたものが発光効率が高い素子であり、特に６５０〜６８０ｎｍに急峻な発光波長ピークを有するものがハロゲン化銀カラー感光材料の赤色感光層を選択的に効率よく感光させることが可能である。また、数ｎｓｅｃオーダーでの高速のオン・オフ制御が可能であり、厳密な露光時間制御に特に適している。
【００３２】
ＶＦＰＨは、ここでは酸化亜鉛蛍光体（ＺｎＯ：Ｚｎ）を用いており青色〜緑色にわたる広いスペクトル領域での発光が生じるため、色フィルタとの組み合わせでハロゲン化銀カラー感光材料の青色感光層及び緑色感光層をそれぞれ選択的に発光させることができる。また、発光効率が比較的高く、発光時の温度変化も小さいので、温度変化に起因する発光ピーク波遷移も小さく、波長選択性の高いハロゲン化銀感光材料への露光効率も安定している。
【００３３】
記録素子アレイ３４として、液晶シャッター＋発光体を使用した場合は、アレイの他２次元化の可能性が高く、記録の高速化および画像の大型化に特に適している。また、２次元化の場合は、各素子の露光時間を長くとっても画像出力全体の速度は遅くならないようにすることが可能であり、複数回露光により生じる階調の不連続性は小さく、良好な階調となる。また、ＬＥＤアレイ、ＶＦＰＨ、強誘電性液晶シャッターは高速なスイッチング特性であり、複数回露光により生じる階調に不連続性は小さく良好な階調となる。
【００３４】
また、本実施形態はハロゲン化銀感材などの軟調な階調特性の感光材料へ適用することで最も高い効果が得られ、発光時間制御の効果が微小領域の濃度制御となる忠実な濃度変調画像となるため、滑らかでピクトリアルな画質を得ることができる。
図３はプリントヘッド制御部４０の詳細ブロック図を示すもので、以下その動作説明を行う。
【００３５】
まず、乗算器４１は上述した補正処理部６０で得られた発光特性の補正を行うべく画像データと補正データを乗算することで該画像データを補正して、インターフェース４２に出力する。
ＣＰＵ４３はインターフェース４２を介してカウンタ４４に１ライン分の画素をカウントするカウント初期値をセットしてカウンタ４４を起動するとともに、入力切換用のデマルチプレクサ４５を制御する。これを受けてカウンタ４４はカウントを開始してカウント値をデマルチプレクサ４５に出力すると、該カウンタ値に基づいて画像データの８ビット×１ライン分の画像データをラインメモリ４６に書き込む。
【００３６】
１ライン目の画像データのラインメモリ４６への書込みが終了すると、ラインメモリ４６からマルチプレクサ４８に１ライン目の画像ビットデータがＭＳＢからＬＳＢまで順次出力されプリントヘッド３０へ転送される。一方、２ライン目の画像データはデマルチプレクサ４５によって出力経路を切り換えられてラインメモリ４７の方へ書き込まれる。このように、現ラインの画像ビットデータをプリントヘッド３０へ転送している間には、次ラインの画像データが他方のラインメモリに書き込む処理を繰り返して行なっているために、ライン毎の画像データは時間的に停滞することなく継続して出力することができる。
【００３７】
カウンタ４９はＣＰＵ４３の制御をもとに画像ビットデータのマルチプレクサ４８への転送時間をカウントしてカウントアップ信号をセットパルス信号発生回路５０に出力すると、該セットパルス信号発生回路５０は画像ビットデータがプリントヘッド３０に転送終了したタイミングでセットパルス信号を発生してプリントヘッド３０に出力するとともに、イネーブル信号発生回路５２にもセットパルス信号を出力する。
【００３８】
一方、カウンタ５１はＣＰＵ４３の制御をもとに予め８ビットの各ビット毎に割り付けられた濃度値に対応するイネーブル時間をカウントしてイネーブル信号発生回路５２に出力すると、該イネーブル信号発生回路５２は濃度値を表す８ビットのＭＳＢから、そのビットに対応するイネーブル時間を持つイネーブル信号をセットパルス信号の発生を受けて発生し、プリントヘッド３０に出力するとともに、ＣＰＵ４３にも出力する。そして、ＣＰＵ４３はこれを受けて次なるセットパルス信号を発生すべくカウンタ４９を制御する。こうした一連の動作を繰り返すことでセットパルス信号、イネーブル信号及び画像ビットデータは１ライン毎にＭＳＢからＬＳＢまで順次相互にタイミングがとられてプリントヘッド３０へ出力される。
【００３９】
図４は補正データ処理部の概略ブロック図を示している。
受光センサ駆動系６２は受光センサ制御部６１の制御のもとに受光センサ５５の受光制御を行う。すなわち、印画紙２の記録が開始される前に受光センサ５５を色毎に設けられた３つのプリントヘッド３０の結像位置に移動して受光を行う。この際、支持ドラム１には受光センサ５５が読み取りを行うための微小間隔のスリットが設けられており、このスリットを介して順次、色毎の照射光を受光している。
【００４０】
受光センサ５５から出力されたアナログ電気信号は増幅回路６４で増幅され、続いてＡ／Ｄ変換器でデジタル電気信号に変換されメモリ６７に記憶される。次に、補正データ演算部６８にて必要に応じた演算処理が施され、補正データを算出し、補正メモリ６６にルックアップテーブルとして入力して記憶させる。または、外部より補正メモリ６６に補正データをルックアップテーブルとして入力して記憶させても良い。ルックアップテーブルにより、受光強度に対応した補正データが出力されるようになっている。
【００４１】
図５はプリントヘッド制御部４０からプリントヘッド３０ｂに出力される出力信号のタイミングチャートを示している。各画素について８ビットで構成される濃度値に展開処理された画像データのうち、まず１ライン分のＭＳＢが３００μｓｅｃかけて出力されてプリントヘッド３０ｂに転送された後、セットパルス信号とイネーブル信号が出力される。イネーブル信号間のインターバル時間は３００μｓｅｃに設定している。
【００４２】
この時、各色毎のイネーブル信号の期間は、
Ｂ                Ｇ                Ｒ
ＭＳＢ          １５３６μｓ      ２５６０μｓ      ５１２０μｓ
第２ビット        ７６８μｓ      １２８０μｓ      ２５６０μｓ
第３ビット        ３８４μｓ        ６４０μｓ      １２８０μｓ
第４ビット        １９２μｓ        ３２０μｓ        ６４０μｓ
第５ビット          ９６μｓ        １６０μｓ        ３２０μｓ
第６ビット          ４８μｓ          ８０μｓ        １６０μｓ
第７ビット          ２４μｓ          ４０μｓ          ８０μｓ
ＬＳＢ              １２μｓ          ２０μｓ          ４０μｓ
そして、この場合であれば、ある１素子に対してＭＳＢからＬＳＢまでの全てのイネーブル信号に対してラッチデータすなわちビット値が”１”であって、発光が生じることになれば最大濃度を示すことになる。プリントヘッド３０ａ，３０ｃも同様の制御が行なわれる。
【００４３】
このように、青色、緑色、赤色の各ビットのイネーブル信号をハロゲン化銀カラー感光材料の各感光層の感度、階調特性に合わせて設定できるので、これに応じて各記録素子を個別に複数回のオン・オフ記録駆動することにより、より一層装置の複雑化・高コスト化を招くことなくハロゲン化銀カラー感光材料の特性を生かした高解像度の連続階調画像をハロゲン化銀カラー感光材料上に記録することができる。
【００４４】
ハロゲン化銀カラー感光材料の特性である間欠露光効果により、高感度と低感度の差が大きくなって、露光時の色にごりが小さくなり、色分離が良くなる。例えば、カラー印画紙の高濃度域について言えば、緑色露光により青色露光もわずかに露光されので、現像後マゼンタにイエローが入り、イエローのにごりとなるが、複数回のオン・オフ露光によって青色感光層によるイエローのにごりが減少し、高画質とすることができる。
【００４５】
また、電子写真方式のような硬調な記録媒体やハロゲン化銀感光材料でもモノクロ感材のように銀像を形成する、所謂銀現像方式のものは画素の広がりが少ないので面積変調的になり、画素単位のザラツキ感があって画質が良くない。さらに、各画素が広がらずはっきりしているため、カラー画像の場合は例えばイエロー、マゼンタ、シアンの各画素の位置のずれがモアレとなって画質の劣化を起こしやすいため、各色の位置合わせに高精度を要する。
【００４６】
これに対し、ハロゲン化銀カラー感光材料のように現像により色素像を形成する所謂発色現像方式のものは、複数回のオン・オフによる画素の広がりがさらに広くなり、各画素領域の濃度が均一化の方向となり、画素単位のザラツキ感が小さくなり高画質となる。また、各色の位置合わせの高精度化のための装置の複雑化、高コスト化を招くことがない。このように、本実施形態では、装置の複雑化・高コスト化を招くことなく印画紙２の露光特性を生かした高解像度の連続階調記録を行うことができる。
【００４７】
この装置を用いて画像出力を行なった種々の実施形態を以下に示す。
実施形態１
赤色光源プリントヘッド３０ａであるＬＥＤアレイにおいて、以下の手順で補正を行ない、評価画像の出力を行なった。なお、評価画像は、以下の２種を用いた。
画像Ａ：低濃度〜中濃度の５段階の濃度の均一ベタ画像。
画像Ｂ：グレーのグラデーションをバックに人のアップを含む画像。
１）印画紙２上の濃度値が約１．０となる画像データ値で全記録素子を発光させ、印画紙２に露光、現像処理を行ない補正用の画像を得る。
２）上記操作で得られた補正用画像を濃度測定装置（コニカマイクロデンシトメータＰＤＭ−５ ＴＹＰＥ ＢＲ ：コニカ株式会社製）を用いて、プリントヘッド３０ａの配列方向に濃度測定を行ない、濃度データを得る。
３）図１１は、この様にして得られた濃度データの一例である。
【００４８】
該データは、各記録素子の位置に対して濃度データがピークを示す形状となっており、これに基づき全記録素子についてそれぞれ、濃度ピーク位置（ｉ）を検出する。
４）上記で得られたピーク位置（ｉ）の前後に位置する数データ（ここでは前後５データ）をピーク濃度データと合わせて積算し、積算濃度（Ｄi）算出する。全記録素子についても同様に行う。
５）得られた積算濃度（Ｄi）と基準積算濃度（Ｄ0）（全積算濃度値の平均値）との濃度比より、補正値（Ｃi）を算出し、補正メモリ６６に保存する。
【００４９】
Ｃi＝Ｄ0／Ｄi
６）乗算器４１において評価用画像データと補正データを乗算し、該画像データを補正して印画紙２に露光を行う。
７）露光した印画紙２を所定の現像処理を行ない、評価用画像を得る。
実施形態２
赤色光源プリントヘッド３０ａであるＬＥＤアレイにおいて、以下の手順で補正を行ない、評価画像の出力を行なった。なお、評価画像は実施形態１と同様である。
１）濃度値が異なる複数の画像データ値で全記録素子を発光させ、印画紙２に露光、現像処理を行ない補正用の画像を得る。
２）上記操作で得られた補正用画像を実施態様１と同様に濃度測定を行い、各記録素子ごとに画像データ値の異なる複数の積算濃度値を得る。
３）全記録素子について、画像データ値（記録素子の光量に比例）と濃度値との関係を求め、目標特定濃度（例えば濃度１．０）となる時の画像データ値を光量（Ｐi）として、前記関係より算出する。
４）得られた光量（Ｐi）と基準光量（Ｐ0）（全光量値の平均値）との光量比より、補正値（Ｃi）を算出し、補正メモリ６６に保存する。
【００５０】
Ｃi＝Ｐ0／Ｐi
５）得られた補正値（Ｃi）に基づき、実施形態１と同様の方法で補正を行ない、評価画像を得る。
比較例１
赤色光源プリントヘッド３０ａであるＬＥＤアレイにおいて、以下の手順で補正を行ない、評価画像の出力を行なった。なお、評価画像は実施形態１と同様である。
１）１記録素子（ｉ番目の素子）を発光させた状態で、受光センサ５５で輝度（Ｅi）を測定する。
２）上記測定を、受光センサ制御部６１に基づく受光センサ駆動系６１の制御により、各素子について順次行う。
３）補正データ演算部６８において、得られた輝度（Ｅi）と基準輝度（Ｅ0）との輝度比より、補正値（Ｃi）を算出し、補正メモリ６６に保存する。
【００５１】
Ｃi＝Ｅ0／Ｅi
４）乗算器４１において評価用画像データと補正データを乗算し、該画像データを補正して印画紙２に露光を行う。
５）露光した印画紙２を所定の現像処理を行ない、評価用画像を得る。
比較例２
赤色光源プリントヘッド３０ａであるＬＥＤアレイにおいて、以下の手順で補正を行ない、評価画像Ａ，Ｂの出力を行なった。なお、評価画像は実施形態１と同様である。
１）特定の画像データ値で１記録素子（ｉ番目の素子）を発光させると、図５のタイミングチャートのように画像データ値に応じて複数回発光が行なわれる。
【００５２】
この状態で、受光センサ５５ですべての発光の積算光量（Ｉi）を測定する。
２）上記測定を、受光センサ制御部６１に基づく受光センサ駆動系６１の制御により、各素子について順次行う。
３）補正データ演算部６８において、得られた輝度（Ｉi）と基準輝度（Ｉ0）との輝度比より、補正値（Ｃi）を算出し、補正メモリ６６に保存する。
【００５３】
Ｃi＝Ｉ0／Ｉi  （Ｉ0として測定した全素子の平均光量を用いた）
４）得られた補正値（Ｃi）に基づき、比較例１と同様の方法で補正を行ない、評価画像を出力する。
これら得られた画像について、画像Ａについては濃度ムラ、画像Ｂについては濃度ムラと階調性を、各々目視評価した。
【００５４】
実施形態１は、評価画像Ａについては、比較例１、２に比べて、各濃度において、ムラが少なく均一な画像であった。また、評価画像Ｂについては、実施形態１は比較例１、２に比べて、バックのグラデーションや人物の肌の部分において、ムラが少なく、階調のつながりが良い高画質な画像であった。
また、実施形態２は、評価画像Ａについては、実施形態１に比べて、補正の精度が向上しており、よりムラの少ない、より均一な画像であった。評価画像Ｂについては、実施形態２は実施形態１に比べて、よりムラの少なく、より階調につながりの良い高画質な画像であった。
【００５５】
実施形態１、２では、濃度測定のための装置として、コニカマイクロデンシトメータＰＤＭ−５ ＴＹＰＥ ＢＲ ：コニカ株式会社製を用いたが、市販のフラットベットスキャナー、ドラムスキャナー等の各種スキャナーを用いて同様の評価を行なったところ、ほぼ同様の効果を得ることができた。
また、基準積算濃度（Ｄ0）、基準積算光量（Ｐ0）として、全記録素子の平均値を用いたが全記録素子中の最大値又は最小値を基準として同様の評価を行なったところ、ほぼ同様の効果を得ることができた。
【００５６】
また、補正用画像及び評価画像として印画紙（ハロゲン化銀写真感光材料用ペーパー）を用いたが、ハロゲン化銀感光材料としては、としては、透明、半透明の印画紙、ネガフィルム、リバーサルフィルム、リバーサルペーパー、可視〜赤外の波長に感光するもの、モノクロ感光材料、自己処理液を有する感光材料（インスタント感光材料）等の感光材料についても同様の効果を得ることができる。
【００５７】
特に、塩化銀感光材料に場合は濃度ムラ補正の効果が大きく、好ましい。また、補正用画像の感光材料と実際に画像形成に用いる感光材料は異なっていても良いが、感光材料の特性を含んで補正が可能となるなどの点で、同じ感光材料を用いることが好ましい。
また、必要に応じて、得られた補正値を用いて補正を行なって補正用画像を出力し、同様の方法で補正値を求めることを繰り返しても良い。
【００５８】
実施形態３
赤色光源プリントヘッド３０ａであるＬＥＤアレイにおいて、以下の手順で補正を行ない、評価画像Ａ，Ｂの出力を行なった。
１）隣接２記録素子（ｉ番目とｉ＋１番目の記録素子）を発光させた状態で、受光センサ５５で２記録素子の合計輝度（Ｅ２i）を測定する。センサは２記録素子の輝度を同時に測定できるだけ充分大きなものを用いた。
２）上記測定を、受光センサ制御部６１に基づく受光センサ駆動系６１の制御により、各記録素子について順次行う。
３）補正データ演算部６８において、測定値（Ｅ２i）に下記の平均処理を行ない、各記録素子の輝度（Ｅi）を求める。
【００５９】
Ｅi＝｛Ｅ２i＋（Ｅ２i+1）｝／４
４）得られた輝度（Ｅi）に基づき、実施形態１と同様の方法で補正を行ない、評価画像を出力する。
得られた画像について、実施形態１と同様の評価を行なった。
評価画像Ａについては、実施形態３は比較例１に比べて、各濃度において、大きなピッチのムラが少なく、均一な画像であった。
【００６０】
また、評価画像Ｂについては、実施形態３は、比較例１に比べて、バックのグラデーションや人物の肌の部分において、大きなピッチのムラが少なく、階調のつながりの良い高画質な画像であった。
実施形態３では、１つのセンサをアレイにそって移動させながら、各記録素子の測定を行なったが、複数のセンサを用いてもほぼ同様の効果を得ることができる。また、リニアＣＣＤなどのようなセンサアレイを用いて、センサの移動をさせずに測定しても、ほぼ同様の効果を得ることができる。
【００６１】
また、各素子の輝度（Ｅi）を平均処理により求めたが、演算処理はこれに限定されるものではない。中央値など他の演算処理でも、各記録素子の輝度（Ｅi）を求めることにより、ほぼ同様の効果を得ることができる。
さらに、２記録素子同時発光の例で示したが、測定数はこれに限定されるものではない。複数記録素子同時発光であれば、適切な演算処理により各記録素子の輝度（Ｅi）を求めることにより、ほぼ同様の効果を得ることができる。
【００６２】
実施形態４
赤色光源プリントヘッド３０ａであるＬＥＤアレイにおいて、以下の手順で補正を行ない、評価画像Ａ，Ｂの出力を行なった。
１）ＬＥＤアレイを構成するチップ（本実施形態では１２８画素）において、受光センサ５５で下記に示す条件での輝度（Ｅ１（ｊ），Ｅ２（ｊ），Ｅ３（ｊ），Ｅ４（ｊ））を測定する。
（ｊ：チップ内記録素子番号）
Ｅ１（ｊ）  １記録素子（ｊ番目の素子）を発光させた状態で測定した輝度。
Ｅ２（ｊ）  隣接２記録素子（ｊ番目とｊ＋１の記録素子）を発光させた状態で測定した２記録素子の合計輝度。
Ｅ３（ｊ）  隣接３記録素子（ｊ−１番目とｊ＋１番目の記録素子）を発光させた状態で測定した３記録素子の合計輝度。
Ｅ４（ｊ）  隣接４記録素子（ｊ−１番目とｊ番目とｊ＋１番目とｊ＋２番目の記録素子）を発光させた状態で測定した４記録素子の合計輝度。
【００６３】
なお、センサは４記録素子の輝度を同時に測定できるだけ充分大きなものを用いた。
２）上記測定を、受光センサ制御部６１に基づく受光センサ駆動系６１の制御により、各記録素子について順次行う。
３）補正データ演算部６８において、測定値（Ｅ１（ｊ），Ｅ２（ｊ），Ｅ３（ｊ），Ｅ４（ｊ））をもとに演算処理を行ない、チップ内の全記録素子での１記録素子の輝度（Ｅ１２８（ｊ））を求める。
【００６４】
本実施形態では、下記の演算処理を行なった。
・Ｅ１（ｊ）を基準に、光量変化率Ｒ２（ｊ），Ｒ３（ｊ），Ｒ４（ｊ）を求める（図１２参照）
Ｒ２（ｊ）＝（Ｅ２（ｊ）−（Ｅ１（ｊ）＋Ｅ１（ｊ＋１）））／（Ｅ１（ｊ）＋Ｅ１（ｊ＋１））
Ｒ３（ｊ）＝（Ｅ３（ｊ）−（Ｅ１（ｊ−１）＋Ｅ１（ｊ）＋Ｅ１（ｊ＋ １）））／（Ｅ１（ｊ−１）＋Ｅ１（ｊ）＋Ｅ１（ｊ＋１））
Ｒ４（ｊ）＝（Ｅ４（ｊ）−（Ｅ１（ｊ−１）＋Ｅ１（ｊ）＋Ｅ１（ｊ＋１ ）＋Ｅ１（ｊ＋２）））／（Ｅ１（ｊ−１）＋Ｅ１（ｊ）＋Ｅ １（ｊ＋１）＋Ｅ１（ｊ＋２））
・各光量変化率Ｒ２（ｊ），Ｒ３（ｊ），Ｒ４（ｊ）を２次関数で回帰し、
Ｒ２（Ｘ）＝Ａ（２）×Ｘ2＋Ｂ（２）×Ｘ＋Ｃ（２）
Ｒ３（Ｘ）＝Ａ（３）×Ｘ2＋Ｂ（３）×Ｘ＋Ｃ（３）
Ｒ２（Ｘ）＝Ａ（４）×Ｘ2＋Ｂ（４）×Ｘ＋Ｃ（４）
Ａ（２）、Ａ（３）、Ａ（４）を求める。
【００６５】
・Ａ（ｙ）＝ｄ×ｌｎ（ｙ）で回帰し、Ａ（１２８）を求める。
・チップ内の全記録素子発光状態での光量変化率Ｒ1１２８（Ｘ）＝Ａ（１２８）×Ｘ2＋Ｂ（１２８）×Ｘ＋Ｃ（１２８）、及びその傾きＳ１２８（Ｘ）＝２×Ａ（１２８）×Ｘ＋Ｂ（１２８）において、チップの中心付近（Ｘ＝６３）でそれぞれ、０になると仮定して、Ｂ（１２８）、Ｃ（１２８）を求める。
【００６６】
・得られた光量変化率Ｒ１２８（Ｘ）＝Ａ（１２８）×Ｘ２＋Ｂ（１２８）×Ｘ＋Ｃ（１２８）を用い、画素ばらつきの補正値（Ｃ（ｉ））を算出する。
（ｊ：チップ内記録素子番号）
ｊ＝１〜３２Ｃ（ｉ）＝１／Ｅ１（ｊ）×Ｒ１２８  ｋ（３２）
ｊ＝３３〜９６Ｃ（ｉ）＝１／Ｅ１（ｊ）×Ｒ１２８  ｋ（ｊ）
ｊ＝９７〜１２８Ｃ（ｉ）＝１／Ｅ１（ｊ）×Ｒ1１２８  ｋ（９７）
４）各チップごとに上記補正値求めることにより、各記録素子の補正値（Ｃi）を算出し、補正メモリ６６に保存する。
５）得られた補正値（Ｃi）に基づき、実施形態１と同様の方法で補正を行ない、評価画像を出力した。
【００６７】
得られた画像について実施形態１と同様の評価を行なった。
評価画像Ａについては、実施形態４は、実施形態３に比べて、各濃度において、さらに、細かいピッチのムラも少なく、より均一な画像であった。
また、評価画像Ｂについては、実施形態４は、実施形態３に比べて、さらに、細かいピッチのムラも少なく、より階調のつながりの良い高画質な画像であった。
【００６８】
実施形態４では、演算処理により、チップ内の全記録素子同時発光状態での１記録素子の輝度を求めたが、実際の画像出力するのにより近い状態（複数記録素子同時発光状態）での１記録素子の輝度を求めれば良く、ほぼ同様の効果得ることができる。
また、演算処理の方法は本実施形態に限定されない。用いるアレイ光源の特性に応じた適切な演算処理により、複数記録素子同時発光状態での１記録素子の輝度を求めることにより、ほぼ同様の効果を得ることができる。例えば、２次関数やｌｎ関数で回帰する部分は、用いるアレイ光源の特性に応じて適切な関数を用いれば良い。
【００６９】
実施形態４では、１記録素子を発光させた状態での測定値を用いて、隣接２，３，４記録素子同時発光状態での測定値を演算処理することにより、各記録素子の補正値（Ｃi）を求めたが、１記録素子を発光させた状態での測定値を用いて、複数記録素子同時発光状態での測定値を適切な演算処理し、各記録素子の補正値（Ｃi）を求めることにより、ほぼ同様の効果を得ることができる。
【００７０】
実施形態５
緑色光源プリントヘッド３０ｂである黄色フィルタを配したＶＦＰＨにおいて、以下の手順で補正を行ない、評価画像Ａ，Ｂの出力を行なった。
１）全記録素子を発光させた状態で、受光センサ５５で１記録素子（ｉ番目の記録素子）の輝度（Ｅi）を測定する。受光センサ５５は他の素子からの光を受けないようにアパーチャで遮光し、測定すべき１画素からの光のみを測定することが可能なセンサを用いた。
２）上記測定を、受光センサ制御部６１に基づく受光センサ駆動系６１の制御により、各記録素子について順次行う。
３）得られた輝度（Ｅi）に基づき、実施形態１と同様の方法で補正を行ない、評価画像を出力する。
【００７１】
比較例３
緑色光源プリントヘッド３０ｂである黄色フィルタを配したＶＦＰＨにおいて、以下の手順で補正を行ない、評価画像Ａ，Ｂの出力を行なった。
１）１記録素子（ｉ番目の記録素子）のみ発光させた状態で、受光センサ５５で輝度（Ｅi）を測定する。
２）上記測定を、受光センサ制御部６１に基づく受光センサ駆動系６１の制御により、各記録素子について順次行う。
３）得られた輝度（Ｅi）に基づき、比較例１と同様の方法で補正を行ない、評価画像を出力する。
【００７２】
得られた画像について、実施形態１と同様の評価を行なった。
評価画像Ａ，Ｂともに実施形態５は比較例３に比べて、ムラが少なく均一で階調のつながりの良い高画質な画像であった。
実施形態５では、アパーチャで遮光したセンサを用いたが、指向性の高いセンサを用いたり、レンズを用いて集光したり、光ファイバーを用いて特定画素の光のみ導くことなどにより、他の素子からの光を受けない測定方法を用いれば、ほぼ同様の効果を得ることができる。
【００７３】
実施形態６
赤色光源プリントヘッド３０ａであるＬＥＤアレイ、緑色光源プリントヘッド３０ｂである黄色フィルタを配したＶＦＰＨ、青色光源プリントヘッド３０ｃである青色フィルタを配したＶＦＰＨにおいて、以下の手順で補正を行ない、評価画像Ｂの出力を行なった。
【００７４】
プリントヘッド３０ａ，３０ｂ，３０ｃとも実施形態２と同様の方法で補正を行ない、評価画像を出力した。
比較例４
プリントヘッド３０ａ，３０ｂ，３０ｃとも比較例２と同様の方法で補正を行ない、評価画像を出力した。
【００７５】
得られたカラー画像について、濃度ムラと階調性を、目視評価した。実施形態６は比較例４に比べてバックのグラデーションや人物の肌の部分において、ムラが少なく、階調のつながりが良い高画質な画像であった。
実施形態７
プリントヘッド３０ａは実施形態５と同様の方法で補正を行ない、プリントヘッド３０ｂ，３０ｃは実施形態４と同様の方法で補正を行ない、評価画像を出力した。
【００７６】
比較例５
プリントヘッド３０ａ，３０ｂ，３０ｃとも比較例３と同様の方法で補正を行ない、評価画像を出力した。
得られたカラー画像について、濃度ムラと階調性を目視評価した。実施形態７は比較例５に比べてバックのグラデーションや人物の肌の部分において、ムラが少なく、階調のつながりが良い高画質な画像であった。
【００７７】
実施形態６、７では、濃度測定と輝度測定の例をあげたが、濃度測定と輝度測定を組み合わせて用いても良い。また、濃度測定手段や輝度測定手段を画像形成装置に組み込んでも良いし、組み込まなくても良い。
上述実施形態では、補正を行うアレイそのものを用いて、補正値を得る手段の例をあげたが、例えば、同じ種類のアレイにおいて、アレイ内の各記録素子の発光特性のバラツキがほぼ同じ特性である場合は、予め同じ種類の別アレイにおいて補正値を求めておき、この補正値を用いて補正を行うというように、補正を行うアレイと補正値を得るアレイが異なっても良い。
【００７８】
上述実施形態では、補正は補正値の乗算によるものであったが、補正方法はこれに限定されず、加算、減算、除算による補正でも同様の効果を得ることができる。
また、記録素子が一列に並んだアレイを用いたが、記録素子が複数列並んだアレイにおいても各プリントヘッドの結像位置と感光材料上の記録位置とをタイミングを適切にとり露光制御を行うことで、同様の効果を得ることができる。
【００７９】
なお、本実施形態では、２値の光源を用いて、画像データを２進数で表した時の各桁の重みに応じてイネーブル信号を設定したが、多値制御の光源を用いてそれに応じたイネーブル信号の設定でも良い、例えば各記録素子１６レベル（４ビット）の制御可能な光源を用いて２回露光のイネーブル信号を設定することにより、２５６階調を制御するという方法などである。また、多値制御の光源としては発光時間だけでなしに、発光光度を変えることができる光源を用いて適切なイネーブル信号を設定しても良い。
【００８０】
ここで、各イネーブル信号間のインターバル時間を２μｓ以上に設定しているため、直前のイネーブル信号によって生ずる発光の履歴の影響を減じることができるので、イネーブル信号の時間幅で階調特性を制御することが可能となる。
もし、インターバル時間が２μｓより短い場合は、前回の発光と次の発光との間の記録素子あるいは感光材料の物理的状態がその特性によりオン・オフに完全に追従せず、連続的に発光している場合に近い状態になったり、記録素子の発光立ち上がりが前回の発光による物理的変化（温度変化などを含む）の影響を受けて通常の場合と異なった効果になったり、制御不可能な露光効果の変動が現れる恐れがあるが、２μｓ以上とすれば上記影響が極めて小さくなる。
【００８１】
図６は印画紙上に記録される画素のサイズを示した図である。
記録素子アレイ３４の各素子から照射された光はセルフォックレンズアレイ３５を介して印画紙２上に結像する。ここで、記録素子アレイ３４の配列方向で１画素の照射サイズをａ、記録ピッチをｂとし、該配列方向とは垂直方向（走査方向）で１画素の照射サイズをＡ、記録ピッチをＢとした場合に、照射サイズ及び記録ピッチの画質に対する影響について実験を行った。各記録素子の露光量の補正量は実施形態１〜７のような方法で行う。
【００８２】
まず、各色の記録素子アレイ３４の照射サイズと記録ピッチを以下のようにし、図５で説明した方式で各色階調が０〜２５５のウェッジパターンを露光出力した。
赤色        緑色        青色
配列方向    照射サイズ（ａ）    ５５        ５０        ５０
記録ピッチ（ｂ）    ６２．５    ６２．５    ６２．５
走査方向    照射サイズ（Ａ）    ３５        ３５        ３５
記録ピッチ（Ｂ）    ６２．５    ６２．５    ６２．５（単位はμｍ）
その結果、図８に示すように緑色露光によるマゼンタ発色のウェッジ、赤色露光によるシアン発色のウェッジ、青色露光によるイエロー発色のウェッジについての濃度特性は同等の滑らかな連続階調を再現した実験結果を得られた。
【００８３】
また、
赤色        緑色        青色
配列方向    照射サイズ（ａ）    ４０        ３５        ３５
記録ピッチ（ｂ）    ６２．５    ６２．５    ６２，５（単位はμｍ）
に変更し、走査方向については上記と同様の条件とした場合には低濃度部分での階調が不連続で、最高飽和濃度も白抜けが存在し、ベタ黒より幾分低濃度になる実験結果となった。
【００８４】
また、
赤色        緑色        青色
配列方向    照射サイズ（ａ）    ８２        ８２        ８２
記録ピッチ（ｂ）    ６２．５    ６２．５    ６２．５（単位はμｍ）
に変更し、走査方向については上記と同様の条件とした場合には、１素子の露光域が大きく、微細パターンの描写性が低下した鮮鋭性の低い実験結果になった。
【００８５】
さらに、
赤色        緑色        青色
配列方向    照射サイズ（ａ）    ５５        ５０        ５０
記録ピッチ（ｂ）    ６２．５    ６２．５    ６２．５
走査方向    照射サイズ（Ａ）    １５        １２        １２
記録ピッチ（Ｂ）    ６２．５    ６２．５    ６２．５（単位はμｍ）
に変更した場合には高濃度部分で白抜けが生じ、最高飽和濃度がやや低下する実験結果となった。
【００８６】
また、
赤色        緑色        青色
配列方向    照射サイズ（ａ）    ５５        ５０        ５０
記録ピッチ（ｂ）    ６２．５    ６２．５    ６２．５
走査方向    照射サイズ（Ａ）    ７５        ７５        ７５
記録ピッチ（Ｂ）    ６２．５    ６２．５    ６２．５（単位はμｍ）
に変更した場合には画素の重なりが生じ、１ライン毎にオン・オフ交互に記録を繰り返した際に目視した濃度がやや上昇する実験結果となった。
【００８７】
以上の実験結果から明らかなように、記録素子の配列方向の記録ピッチに対する記録素子配列方向の照射サイズの比率は０．７以上１．１以下の範囲、記録素子配列の垂直方向の記録ピッチに対する記録素子垂直方向の照射サイズの比率は０．３以上１．０以下の範囲にあるときに、連続的な階調特性を得ることができる。
また、
赤色        緑色        青色
配列方向    照射サイズ（ａ）    ５５        ５０        ５０
記録ピッチ（ｂ）    ６２．５    ６２．５    ６２．５
走査方向    照射サイズ（Ａ）    ３５        ３５        ３５
記録ピッチ（Ｂ）    ６２．５    ６２．５    ６２．５（単位はμｍ）
の条件で、１ライン分の発光開始から発光終了までに要する時間の該１ライン分記録時間サイクルに対する比率Ｃを以下のとおり変化させ、実験を行なった。
【００８８】
（１）Ｃ＝０．１８、（２）Ｃ＝０．３、（３）Ｃ＝０．６８、（４）Ｃ＝０．８
（１）は高濃度部分で白抜けが生じ、最高飽和濃度がやや低下し、（４）は微細パターンの描写性が低下したのに対し、（２）、（３）はこれらの問題もなく滑らかな連続階調となる実験結果になった。
このように、０．８≦Ａ／Ｂ＋Ｃ≦１．３の関係を満たす記録を行うと、より連続的な階調特性を得ることができる。
【００８９】
また、各色毎のイネーブル信号の発生区間を
ｔ＝３            ｔ＝５            ｔ＝８
Ｂ                Ｇ                Ｒ
ＭＳＢ          １５３９μｓ      ２５６５μｓ      ５１２８μｓ
第２ビット        ７７１μｓ      １２８５μｓ      ２５６８μｓ
第３ビット        ３８７μｓ        ６４５μｓ      １２８８μｓ
第４ビット        １９５μｓ        ３２５μｓ        ６４８μｓ
第５ビット          ９９μｓ        １６５μｓ        ３２８μｓ
第６ビット          ５１μｓ          ８５μｓ        １６８μｓ
第７ビット          ２７μｓ          ４５μｓ          ８８μｓ
ＬＳＢ              １５μｓ          ２５μｓ          ４８μｓ
のようにイネーブル信号を２nＴ＋ｔ（ｎは０，１，２，・・７でイネールブル信号の各時間幅を画像データの階調に応じたデジタル値とした際のデジタル値の桁、Ｔは単位時間、ｔは正または負の一定時間で本実施形態では５μｓとした）と変更したものでは、図９の緑色露光によるマゼンタ発色のウェッジ濃度特性が示すようにイネーブル信号の時間幅を各カウンタ値に対する信号毎に個別に調整することができるため、各測定ポイントが連続的すなわち均等になってさらに滑らかな階調記録を行うことができる。なお、赤色露光によるシアン発色のウェッジ、青色露光によるイエロー発色のウェッジについても同等な結果が得られている。
【００９０】
このように、従来にあっては各色ごとの記録素子の応答特性や、感材の特性による階調の不連続のため、ニュートラルにおいて濃度によって、微妙な色バランスの変化があったが、本実施形態においては階調が連続的になり、滑らかな階調となる結果、ニュートラル性が改善され、画質が向上する。
図７はプリントヘッド制御部４０からの出力信号の他の実施形態を示すタイミングチャートである。
【００９１】
これは、各画素の濃度に応じた回数だけ記録素子を駆動するｎ進（例えば２５６階調の場合はｎ＝２５６）カウンタを設け、カウンタ値と各画素の濃度値を比較して、濃度値の方が大きい時にはシフトレジスタ３１に１を転送し続けるのでその間は駆動信号がアクティブ状態となる。そして、濃度値の方が小さくなった時には０を転送してアクティブ状態を終了するので画素の濃度に応じた駆動信号だけが許可状態になる。そして、駆動信号がアクティブになる単位時間を毎回青色は１２μｓ、緑色は２０μｓ、赤色は４０μｓとして発光制御を行うものである。すなわち、２５６階調の場合、１画素について２５６回のイネーブル信号が発生して階調を表現することになる。この方法によっても図８と同様な緑色露光によるマゼンタ発色のウェッジ濃度特性を得られることが確認できた。なお、赤色露光によるシアン発色のウェッジ、青色露光によるイエロー発色のウェッジについても同等な結果が得られている。このように、本実施形態によれば、ビットごとにイネーブル信号を設定する必要がなく、簡単な構成で良好な階調を得ることができる。
【００９２】
また、イネーブル信号の発生期間を緑色については
ｎ進カウンタが０                                  １×１４．５μｓ
１                   （１０0.01−１）×1４．５μｓ
２            （１０0.02−１０0.01）×１４．５μｓ
３            （１０0.03−１０0.02）×１４．５μｓ
・                                ・
・                                ・
ｉ      （１０0.01i−１０0.01(i-1)）×１４．５μｓ
２５５          （１０2.55−１０2.54）×１４．５μｓ
青色については
ｎ進カウンタが０                                  １×８．７μｓ
１                   （１０0.01−１）×８．７μｓ
２            （１０0.02−１０0.01）×８．７μｓ
３            （１０0.03−１０0.02）×８．７μｓ
・                                ・
・                                ・
ｉ      （１０0.01i−１０0.01(i-1)）×８．７μｓ
２５５          （１０2.55−１０2.54）×８．７μｓｓ
また、赤色については
ｎ進カウンタが０                                  １×２９μｓ
１                   （１０0.01−１）×２９μｓ
２            （１０0.02−１０0.01）×２９μｓ
３            （１０0.03−１０0.02）×２９μｓ
・                                ・
・                                ・
ｉ      （１０0.01i−１０0.01(i-1)）×２９μｓ
２５５          （１０2.55−１０2.54）×２９μｓ
と変更した場合には低濃度が階調レベルが連続的となり、その結果、図10の緑色露光によるマゼンタ発色のウェッジ濃度特性が示すように滑らかな連続階調を再現した実験結果を得られた。なお、赤色露光によるシアン発色のウェッジ、青色露光によるイエロー発色のウェッジについても同等な結果が得られている。このように、この実施形態によればイネーブル信号の幅を自由に可変できるので装置の出力特性や感材の特性に応じて階調特性を調整することが可能となる。
【００９３】
また、印画紙の移動と停止を繰り返しながら露光を行ない、１ライン分の発光開始から発光終了までに要する時間の中で移動中である時間の比率ｒtを５０％と３０％に変えて実験を行なった。
ｒt＝３０％では画像にザラツキ感があるのに対し、ｒt＝５０％では各画素領域の濃度が均一化されザラツキ感もなく、また、小さい画像信号レベルから各画素領域の中で飽和濃度に達することがなく、階調応答性が良く良好な階調となる実験結果になった。
【図面の簡単な説明】
【００９４】
【図１】本発明の実施形態における画像形成方法の概略構成図
【図２】本発明の実施形態におけるプリントヘッドへの画像データの書込み動作を説明する図
【図３】本発明の実施形態におけるプリントヘッド制御部の詳細ブロック図
【図４】本発明の実施形態における補正データ処理部の概略ブロック図
【図５】本発明の実施形態におけるプリントヘッド制御部からの出力信号のタイミングチャート
【図６】本発明の実施形態における印画紙上に記録される画素のサイズを示した図
【図７】本発明の他の実施形態におけるプリントヘッド制御部からの出力信号を示すタイミングチャート
【図８】本発明の実施形態における濃度特性を示す図
【図９】本発明の実施形態における濃度特性を示す図
【図１０】本発明の実施形態における濃度特性を示す図
【図１１】本発明の実施形態における濃度データの一例を示す図
【図１２】本発明の実施形態における光量変化率を示す図
【図１３】本発明の実施形態における記録素子の発光特性パターンを示す図
【符号の説明】
【００９５】
１  支持ドラム
２  印画紙
３０  プリントヘッド
４０  プリントヘッド制御部
５５  受光センサ
６０  補正処理部
【図１】
2004161007.tif 000003
【図２】
2004161007.tif 000004
【図３】
2004161007.tif 000005
【図４】
2004161007.tif 000006
【図５】
2004161007.tif 000007
【図６】
2004161007.tif 000008
【図７】
2004161007.tif 000009
【図８】
2004161007.tif 000010
【図９】
2004161007.tif 000011
【図１０】
2004161007.tif 000012
【図１１】
2004161007.tif 000013
【図１２】
2004161007.tif 000014
【図１３】
2004161007.tif 000015